(57)【要約】【課題】  装置を検者の好みや経験に拘わらずに取扱いやすくする。【解決手段】  被検眼の機能を測定する眼科装置であって、測定手段と、前眼部像撮像光学系と、前眼部像が表示される画面を持つモニタと、画面の周辺又は上に配置された複数の操作スイッチと、前記操作スイッチの機能を説明するための，文字，記号，図形及びイラストの少なくとも１つから構成された複数の機能情報を，画面上に表示させる表示制御手段と、機能情報が画面上に表示されない状態を基準状態とし，基準状態において操作スイッチの何れかから操作信号が入力されると画面上に前記機能情報を表示させ，それ以降の操作スイッチからの操作信号の入力を有効とする第１の操作モードと、機能情報が前記画面上に表示される状態を基準状態とし，基準状態における操作スイッチからの操作信号の入力を有効とする第２の操作モードと、の何れかを選択する。【選択図】      図３
2007105130.tif 000002
【特許請求の範囲】
【請求項１】
被検眼の機能を測定する眼科装置であって、
被検眼の機能を測定する測定手段と、
被検眼の前眼部像を撮像するための撮像光学系と、
撮像された前眼部像が表示される画面を持つモニタと、
前記画面の周辺又は上に配置された複数の操作スイッチと、
前記複数の操作スイッチの機能を説明するための，文字，記号，図形及びイラストの少なくとも１つから構成された複数の機能情報を，前記画面上に表示させる表示制御手段と、
前記機能情報が前記画面上に表示されない状態を基準状態とし，該基準状態において前記操作スイッチの何れかから操作信号が入力されると前記画面上に前記機能情報を表示させ，それ以降の前記操作スイッチからの操作信号の入力を有効とする第１の操作モードと、前記機能情報が前記画面上に表示される状態を基準状態とし，該基準状態における前記操作スイッチからの操作信号の入力を有効とする第２の操作モードと、の何れかを選択する選択手段と、  を備えることを特徴とする眼科装置。
【請求項２】
請求項１の眼科装置において、前記表示制御手段は、前記選択手段により前記第１操作モードが選択され，前記画面上に前記機能情報が表示されているときは、前記測定手段による測定結果を出力するための操作信号又は該測定結果を消去するための操作信号が入力されると、前記画面を前記機能情報が表示されない前記基準状態に戻すことを特徴とする眼科装置。
【請求項３】
請求項１の眼科装置において、前記表示制御手段は、前記選択手段により前記第１操作モードが選択され，前記画面上に前記機能情報が表示されているときは、前記画面上に前記機能情報が表示されてから所定時間中にそれ以降の前記操作スイッチからの操作信号の入力がないと、前記画面を前記機能情報が表示されない前記基準状態に戻すことを特徴とする眼科装置。
【請求項４】
請求項１〜３の眼科装置において、前記前記第１操作モードは、前記測定手段による測定結果及び前記測定手段の測定条件の少なくとも一方が前記画面上に表示されない状態を前記基準状態とし、前記第２操作モードは、前記測定結果及び前記測定条件の少なくとも一方が前記画面上に表示される状態を前記基準状態とすることを特徴とする眼科装置。
【発明の詳細な説明】
【技術分野】
【０００１】
本発明は、被検眼の機能を測定する眼科装置に関する。
【背景技術】
【０００２】
被検眼の機能を測定する眼科装置としては、例えば、レフラクトメータと呼ばれる他覚式眼屈折力測定装置、ケラトメータと呼ばれる角膜形状測定装置、トノメータと呼ばれる眼圧計、等がある。これらの装置は、被検眼の前眼部像（観察像）を撮像するための撮像光学系、撮像された前眼部像等が表示される画面を持つモニタ、操作スイッチ、等を通常有している（特許文献１参照）。
【０００３】
上記のような装置としては、モニタの画面の周辺に複数の操作スイッチが配置され、各操作スイッチの機能を説明するための，文字，記号，図形及びイラストの少なくとも１つから構成された機能情報が，対応する操作スイッチの近傍の画面上に表示されるものがある（例えば、図２参照）。モニタの画面付近に操作スイッチがあることは、スイッチ操作がしやすく使い勝手が良い。また、モニタの画面上に機能情報が表示されることは、１つの操作スイッチに複数の機能を持たせることができ、多機能化等の設計変更の際に有用である。
【特許文献１】特開２００５−１０３１０３号公報
【発明の開示】
【発明が解決しようとする課題】
【０００４】
しかしながら、モニタの画面上に操作スイッチの機能情報が表示されるのは、一緒に表示される前眼部像に重なってしまうことから、前眼部像が見づらくなってしまう惧れがあり、検者によってはアライメント等の作業効率が下がってしまう惧れがある。前眼部像が見やすいように機能情報を小さく表示することも考えられるが、逆に機能情報が見づらくなってしまう惧れがある。
【０００５】
また、モニタの画面上に操作スイッチの機能情報が表示されるのは、様々な情報が視覚を通して与えられることから、検者によっては取扱いが難しい装置であるという印象を受けてしまう惧れがある。
【０００６】
本発明は、上記問題点を鑑み、検者の好みや経験に拘わらずに取扱いやすい眼科装置を提供することを技術課題とする。
【課題を解決するための手段】
【０００７】
上記課題を解決するために、本発明は以下のような構成を備えることを特徴とする。
【０００８】
（１）  被検眼の機能を測定する眼科装置であって、被検眼の機能を測定する測定手段と、被検眼の前眼部像を撮像するための撮像光学系と、撮像された前眼部像が表示される画面を持つモニタと、前記画面の周辺又は上に配置された複数の操作スイッチと、前記複数の操作スイッチの機能を説明するための，文字，記号，図形及びイラストの少なくとも１つから構成された複数の機能情報を，前記画面上に表示させる表示制御手段と、前記機能情報が前記画面上に表示されない状態を基準状態とし，該基準状態において前記操作スイッチの何れかから操作信号が入力されると前記画面上に前記機能情報を表示させ，それ以降の前記操作スイッチからの操作信号の入力を有効とする第１の操作モードと、前記機能情報が前記画面上に表示される状態を基準状態とし，該基準状態における前記操作スイッチからの操作信号の入力を有効とする第２の操作モードと、の何れかを選択する選択手段と、を備えることを特徴とする。
（２）  （１）の眼科装置において、前記表示制御手段は、前記選択手段により前記第１操作モードが選択され，前記画面上に前記機能情報が表示されているときは、前記測定手段による測定結果を出力するための操作信号又は該測定結果を消去するための操作信号が入力されると、前記画面を前記機能情報が表示されない前記基準状態に戻すことを特徴とする。
（３）  （１）の眼科装置において、前記表示制御手段は、前記選択手段により前記第１操作モードが選択され，前記画面上に前記機能情報が表示されているときは、前記画面上に前記機能情報が表示されてから所定時間中にそれ以降の前記操作スイッチからの操作信号の入力がないと、前記画面を前記機能情報が表示されない前記基準状態に戻すことを特徴とする。
（４）  （１）〜（３）の眼科装置において、前記前記第１操作モードは、前記測定手段による測定結果及び前記測定手段の測定条件の少なくとも一方が前記画面上に表示されない状態を前記基準状態とし、前記第２操作モードは、前記測定結果及び前記測定条件の少なくとも一方が前記画面上に表示される状態を前記基準状態とすることを特徴とする。
【発明の効果】
【０００９】
本発明によれば、装置が検者の好みや経験に拘わらずに取扱いやすくなる。
【発明を実施するための最良の形態】
【００１０】
本発明の一実施形態について図面に基づいて説明する。図１は、本実施形態である眼科装置の概略構成図である。被検眼Ｅの前方のダイクロイックミラー１の透過光路Ｏ１上には、被検眼の機能を測定する測定手段の一つである被検眼の眼屈折力を測定するための眼屈折力測定光学系２が配置されている。測定光学系２は、測定光源３を持ち、眼底に測定光束を投光し、被検眼眼底からの反射光束を受光素子４に受光させる光学系であり、眼屈折力が受光素子４の出力に基づいて測定される。この測定光学系２及びその測定原理は周知のものが使用できるので、ここではその説明を省略する。
【００１１】
ダイクロイックミラー１の反射方向には、眼Ｅを観察するための対物レンズ１１、ダイクロイックミラー１２、全反射ミラー１３を配列する。ミラー１３の反射方向の光路Ｏ２上には、眼Ｅに固視標を固視させるための図示なき固視標投影光学系が配置されている。
【００１２】
ダイクロイックミラー１２の反射方向の光路Ｏ３上には、結像レンズ２０、眼Ｅの前眼部付近と略共役な位置に配置されたエリアＣＣＤ等の二次元撮像素子２１を含む前眼部撮像光学系２２が配置されている。
【００１３】
さらに、眼Ｅの前眼部の前方には、眼Ｅの角膜Ｅｃに角膜形状測定用のリング指標を投影するための近赤外光を発するリング指標投影光学系３０と、眼Ｅの角膜Ｅｃに無限遠指標を投影することにより被検眼に対する作動距離方向のアライメント状態を検出するために近赤外光を発する作動距離指標投影光学系３１が観察光軸に対して左右対称に配置されている。なお、リング投影光学系３０は、眼Ｅの前眼部を照明する前眼部照明としても用いられる。
【００１４】
ここで、ダイクロイックミラー１は測定光学系２の光源３から発せられる波長の光を透過し、リング投影光学系３０と作動距離投影光学系３１から発せられた波長の光及び可視光を反射する特性を有している。ダイクロイックミラー１２は、可視光を透過し、赤外光を反射する特性を有している。
【００１５】
また、前述の前眼部撮像光学系、固視標投影光学系、眼屈折力測定光学系などにより被検眼測定部が構成されており、この被検眼測定部は図示なき３軸方向に移動することのできる架台上に載置されており、ジョイスティック６０を検者が操作することにより、被検眼測定部を自在に移動することができ、これらの架台及びジョイスティック６０などにより位置合わせ手段を構成している。
【００１６】
測定光学系２の受光素子４からの受光信号、及び撮像素子２１からの画像信号は、制御部７０へ入力される。制御部７０は、これに基づいて眼屈折力、及び角膜曲率半径を求める演算を行う。また、撮像素子２１からの画像信号は、制御部７０にて機能情報や文字や図形等の表示情報と合成（重ね合わせる）されたのち、表示モニタ４０に入力される。これにより、表示モニタ４０上には、例えば図２に示すような前眼部観察像Ｆが表示される。なお、Ｒはリング投影光学系３０によって投影されたリング指標像（マイヤーリング像）、Ｍは作動距離投影光学系３１によって投影された無限遠指標像である。なお、制御部７０には、測定結果等のデータを記憶するメモリ７１、ジョイスティック６０、ジョイスティック６０の頂部に設けられた測定開始スイッチ６１、自動アライメントモードの際に被検眼測定部を３次元方向に移動させる駆動機構６２、表示モニタ４０の周辺付近の筐体部分に配置され、測定に関する設定（測定モード切換やアライメントモード切換、コンペアモードへの移行など）を行うための操作スイッチ４５ａ〜４５ｆ、得られた測定結果をクリアするための信号を制御部７０へ入力するクリアスイッチ４６、測定結果を印字出力するための信号を制御部７０へ入力する印字スイッチ４７、プリンタ６３等が接続されている。なお、スイッチ４６及びスイッチ４７は、機能が特定された専用スイッチであるため、スイッチの機能を説明する機能情報がスイッチ４６及びスイッチ４７の下の筐体部分に印字されている。
【００１７】
以下に、図２を用いて、表示モニタ４０の表示画面及びその周辺のスイッチ構成について説明する。表示モニタ４０上には、前述の前眼部観察像Ｆ等の他に、アライメントを行う際の基準となるレチクルマーク１０１、被検眼に対する作動距離方向のアライメント状態を表現するインジゲータ１０２、測定可能な最小瞳孔径を表すマーク１０３、自動アライメントモードが有効な場合に表示されるアイコン１０４、オートショットモードが有効な場合に表示されるアイコン１０５、シリンダ値（乱視度数）の読み方がどの読み方に設定されているかを示すシリンダモード表示１０６、眼屈折力値（Ｓ、Ｃ、Ａ）、角膜曲率値（Ｒ１、Ｒ２）、及びそれぞれの測定回数（Ｒ：０やＫ：０であって、数字部分が回数）等が表示されている。なお、表示モニタ４０上の左上にあるＲは、測定眼を判別するためのものであり、測定している眼が、右眼ならＲ、左眼ならＬの文字が表示される。
【００１８】
また、図２に示した表示モニタ４０の画面上の左右両端には、操作スイッチ４５ａ〜４５ｆの配置位置に対応づけた形式で表示されるものあって、スイッチ４５ａ〜４５ｆの持つ機能を説明するための、文字、記号、図形及びイラストの少なくとも１つから構成された機能情報１１０ａ〜１１０ｆ（以下、機能情報１１０と省略する）が複数表示されている。
【００１９】
以下に、図２の表示画面での操作スイッチ４５ａ〜４５ｆ（以下、操作スイッチ４５と省略する）の機能について説明する（図１、図２参照）。４５ａは、眼屈折力及び角膜曲率連続測定モード、眼屈折力測定モード、角膜曲率モードの間でモード選択を行う測定モード選択スイッチとして機能する。４５ｂは自動アライメントのＯＮ／ＯＦＦと、アライメントが完了した際のオートショットＯＮ／ＯＦＦという全４つのモードの組み合わせから所望のモードに切換える切換スイッチ、４５ｃはコンペアモード（固視標光学系を利用して、固視標の呈示位置を矯正状態に相当する位置と、非矯正状態に相当する位置とで切換えることにより、被検眼に見え方の比較を体感させるモード、詳しくは特開２００４−１２９７１１号公報）に移行するためのスイッチとして機能する。４５ｄはシリンダー値の表示切換スイッチとして機能し、これによりシリンダ値を−読みとして表示するか＋読みとして表示するか±読みとして表示するかを選択できる。４５ｅは、測定終了後に被検眼の屈折状態を説明する眼図をプリンタ６３にて印字出力するための指令信号を発する眼図スイッチとして機能する。また、４５ｆは、機能情報１１０の表示内容を切換えるページ切換スイッチとして機能する。
【００２０】
検者は、前述の機能情報１１０の表示を参考に、操作スイッチ４５を用いて測定に関する設定を行うことができる。例えば、検者より機能情報１１０ａに対応する操作スイッチ４５ａが押されると、制御部７０によりその操作信号に基づいて測定モードを切換えられる。また、検者より機能情報１１０ｂに対応する操作スイッチ４５ｂが押されると、制御部７０によりその操作信号に基づいて自動アライメントモード及びオートショットのＯＮ／ＯＦＦを切換えられる。
【００２１】
また、操作スイッチ４５ｆが押されると、４５ｅは、眼図スイッチから、測定回数、眼屈折力の測定ステップ、連続測定モードの有無、印刷形式などを設定するための各種パラメータ設定画面に移行するためのスイッチへ機能が切り換わる。これに伴い、機能情報１１０ｇは、その機能を説明するための表示に切り換わる。そして、この状態でスイッチ４５ｅが押されてパラメータ設定画面に移行すると、操作スイッチ４５ａ〜４５ｅは、さらに、他の機能を持つように設定される。また、操作スイッチ４５ｆが再度押されると、図２の表示画面に戻る。
【００２２】
なお、前述のパラメータ設定画面では、機能情報１１０が表示モニタ４０の画面上に表示されない状態を基準状態とし，基準状態において操作スイッチ４５の何れかから操作信号が入力されると画面上に機能情報１１０を表示させ，それ以降の操作スイッチ４５からの操作信号の入力を有効とする第１の操作モードと、機能情報１１０が表示モニタ４０の画面上に表示される状態を基準状態とし，基準状態における操作スイッチ４５からの操作信号の入力を有効とする第２の操作モードと、の何れかを選択できるようになっている（このとき、操作スイッチ４５を選択信号を入力するスイッチとして用いればよい）。なお、図３は機能情報１００が表示されない状態の表示モニタ４０の表示画面を示す図である。すなわち、第１操作モードでは、例えば、操作スイッチ４５の何れかから操作信号が入力されると、制御部７０は、図３のような表示画面から図２のような表示画面に切換わる。
【００２３】
以上のような構成を備える装置において、その動作について説明する。まず、前述のパラメータ設定において、第１操作モードを選択した場合について説明する。
【００２４】
図４は、予め第１操作モードに設定された状態で電源が投入されたときの表示モニタ４０の表示画面である。第１操作モードが選択された場合、制御部７０は、電源投入直後から機能情報１１０が表示モニタ４０の画面上に表示されない状態とする（第１操作モードにおける基準状態）。ここで、検者は、測定に関する設定の必要がない場合には、被検者の顔を図示無き顔支持ユニットに固定させ、図示なき固視標を固視するよう指示した後、被検眼に対するアライメントを行う。これにより、被検眼の前眼部が撮像素子２１によって撮像され、表示モニタ４０には前眼部像Ｆ等が表示される（図３参照）。
【００２５】
図３に示すように、自動アライメントモード及びオートショットがＯＮに設定されている場合、制御部７０は、撮像素子２１からの撮像信号に基づいて被検眼に対するアライメント状態を検出する。この場合、制御部７０は、撮像素子２１によって検出されたリング指標の中心位置の座標を算出することにより被検眼に対する上下左右方向のアライメント状態を求める。また、制御部７０は、測定部が作動距離方向にずれた場合に、前述の無限遠指標Ｍの間隔がほとんど変化しないのに対して、リング指標の所定経線方向の像間隔が変化するという特性を利用して、被検眼に対する作動距離方向のアライメント状態を求める（詳しくは、特開平６−４６９９９号参照）。そして、制御部７０は、アライメント検出結果に基づいて駆動機構６２を駆動制御することにより、被検眼に対する自動アライメントを行う。そして、アライメントが完了したら自動的に測定が行われる。
【００２６】
なお、自動アライメントモード及びオートショットがＯＦＦに設定されている場合、検者は、図示なき固視標を固視するよう指示した後、表示モニタ４０に表示されるリング像（マイヤーリング像）Ｒを見ながらジョイスティックを操作して、リング像Ｒとレチクルマーク１０１が同心円になるように測定部の位置を上下左右方向に調整する（手動アライメントモード）。その後、インジゲータ１０３を参考にしながら（もしくはリング像Ｒが最も細くなるように）、測定部の作動距離方向の位置を調整する。そして、アライメントが完了して、検者から測定開始スイッチ６１が押されると、測定が行われる。
【００２７】
そして、眼屈折力及び角膜曲率連続測定モードに設定されていた場合、制御部７０は、まず、撮像素子２１によって撮像されたリング像Ｒの形状を解析することにより角膜曲率の演算を行う。そして、演算が終了すると、制御部７０は、求められた角膜曲率の数値を表示モニタ４０に表示する（図５のＲ１、Ｒ２参照）。次に、眼屈折力測定に移行すると、測定光学系２の光源３が点灯し、図示なき固視標投影光学系の駆動によって固視標を固視する眼Ｅに対して雲霧が掛けられる。その後、眼屈折力の測定が行われ、受光素子４からの出力に基づいて眼屈折力の演算を行う。そして、演算が終了すると、制御部７０は、求められた眼屈折力の数値を表示モニタ４０に表示する（図５のＳ、Ｃ、Ａ参照）。
【００２８】
測定に関する設定を行い場合、検者は、操作スイッチ４５のいずれかを押せばよい。例えば、自動アライメントが上手くいかないときにマニュアルアライメントに変更したり、測定終了後にコンペアモードを実施したり、表示モニタ４０上の前眼部像と専用のマークを用いた角膜径計測モード（詳しくは、特開平４−３２７８２９号公報）等を実施する場合などが挙げられる。制御部７０は、基準状態において操作スイッチ４５の何れかから操作信号が入力されると表示モニタ４０の画面上に機能情報１１０を表示させ（図２及び図３参照）、それ以降の操作スイッチ４５からの操作信号の入力を有効とする。これにより、検者は、機能情報１１０の表示により操作スイッチ４５の機能を確認することができるようになるとともに、測定に関する設定が可能となる。なお、本実施形態では、機能情報１１０の表示に連動して測定結果を表示する領域が左方向に移動して表示される（機能情報１１０に測定結果がかかる可能性があるため）。
【００２９】
ここで、例えば、検者によって操作スイッチ４５ｃが押されると（前述のスイッチ操作からの押しっぱなし、再度のスイッチ操作を含む）と、制御部７０は、入力された操作信号に基づいてコンペアモードに移行する。すなわち、表示モニタ４０上に機能情報１１０が表示された状態で、検者が操作スイッチ４５を操作すると、制御部７０は、予め設定された各スイッチの機能に応じた測定に関する設定を行う。
【００３０】
上記のようにして、眼屈折力と角膜曲率の測定が終了し、場合に応じて行われるコンペーモードや角膜径の計測等の作業が終了したのち、印字スイッチ４７が押されると、制御部７０は、これらの測定結果をプリンタ６３にて印字出力する。
【００３１】
このとき、制御部７０は、表示モニタ７０の画面上に機能情報１１０が表示されているときは、印字スイッチ４７からの操作信号が入力されると、表示モニタ４０の画面を機能情報１１０が表示されない基準状態（図５の状態）に戻す。なお、クリアスイッチ４６からの操作信号によっても、同様の表示状態の切換が行われる。本実施形態では、機能情報１１０が画面上で表示されない状態になるのに連動して測定結果を表示する領域が右側に移動して表示される（検者にとって見やすいと思われる位置に復帰する）。
【００３２】
以上示したように、第１の操作モードによれば、測定に関する設定を行う場合以外は、機能情報１１０が画面上で表示されない状態にあるため、検者は、測定中（アライメント動作も含む）の被検眼の様子が把握しやすい（例えば、眼Ｅに対する測定部のアライメント状態など）。また、装置操作が苦手な検者等に対して、操作が簡単でシンプルな装置であるという印象を与えることができる。これにより、測定作業のミスなどを軽減できると思われる。
【００３３】
また、測定に関する設定を行う場合においては、操作スイッチ４５を押すことによって簡単に機能情報１１０を表示させることが可能であり、スムーズに設定動作に移行することができる。また、表示モニタ４０上に表示された機能情報１１０は、検者にとって測定作業の最後に行う印字出力動作（もしくは測定結果のクリア）に連動して画面上で表示されない状態となるため、機能情報１１０を表示されない状態に戻す手間を省くことができる。
【００３４】
なお、以上の説明においては、測定結果を印字出力する印字スイッチ４７の操作によって機能情報１１０が表示されない状態に戻すようにしたが、これに限るものではなく、情報通信回線などを通じて、測定結果を所定の管理データベースに転送する際の信号をトリガ信号としてもよい。
【００３５】
なお、第１操作モードにおいて、機能情報１１０が表示されない基準状態に戻す手法について、以下のようなものであってもよい。すなわち、制御部７０は、表示モニタ４０の画面上に機能情報１１０が表示されているときは、画面上に機能情報１１０が表示されてから所定時間中にそれ以降の操作スイッチ４５からの操作信号の入力がないと、画面を機能情報１１０が表示されない基準状態に戻す。この場合、操作スイッチ４５から入力された操作信号があってから、機能情報１１０を非表示とするまでの時間を検者の任意で設定できるようにしてもよい。ただし、上記手法の場合、一旦非表示に戻ってから測定中に再度の設定を行う場合、もう一度操作スイッチ４５にて機能情報を表示させる必要があるので、検者にとって手間がかかる可能性を持つ。また、測定中に機能情報１１０が非表示となることで、検者に不要な心配（装置の故障などの懸念）を持たせる可能性も持つ。よって、上記のような可能性を考慮すると、前述のように測定終了後に機能情報１１０を非表示とする方が好ましいと思われる。
【００３６】
以下に、前述のパラメータ設定において、第２操作モードを選択した場合について簡単に説明する。第２操作モードが選択された場合、制御部７０は、電源投入直後から機能情報１１０が表示された状態とする（第２操作モードにおける基準状態）。そして、制御部７０は、操作スイッチ４５からの操作信号の入力を有効とする。これにより、検者は、電源投入直後から機能情報１１０の表示により操作スイッチ４５の機能を確認することができるようになるとともに、いつでも測定に関する設定が可能となる。よって、第２操作モードによれば、検者は、表示モニタ４０上に表示される機能情報１１０によるスイッチ４５の機能説明に基づいて、すぐに測定に測定する設定を行うことができる。このような設定は、測定に関する設定を行う頻度が多い眼科医院において有用であると思われる。
【００３７】
なお、以上示したように、第１操作モードと第２操作モードを選択できるようにすることにより、検者の用途に合わせた操作モードの選択が可能となる。例えば、装置に関する設定を行う頻度が多い場合には第２操作モードを選択し、装置に関する設定を行う頻度が少ない場合や測定中の被検眼の様子をより把握したいような場合もしくは装置操作が苦手な検者が用いるような場合には第１操作モードを選択するような利用が可能となる。
【００３８】
また、以上の説明においては、第１操作モードにおいて機能情報１１０を表示させる場合、機能情報１１０を被検眼前眼部と重合させて表示するようなものとしたが、図６に示すような画面表示であってもよい。この場合、機能情報１１０は被検眼像と重合されずに表示されるため、検者にとってみやすい。なお、図６に示すように、被検眼前眼部を電気的に縮小して表示するようにすれば、検者は、操作スイッチ４５を操作する際にも、被検眼前眼部を広い範囲で観察できる。
【００３９】
なお、機能情報１１０を表示モニタ４０上から完全に非表示とするのではなく、邪魔にならない程度の小さなサイズに縮小して表示するようにしてもよい。この場合、機能情報が縮小された状態で、操作スイッチ４５ａ〜４５ｆが押されると、制御部７０は、機能情報１１０を拡大して表示する。
【００４０】
また、第１操作モードでは、眼屈折力値（Ｓ、Ｃ、Ａ）、角膜曲率値（Ｒ１、Ｒ２）等の測定結果、及びアイコン１０４、アイコン１０５、シリンダモード表示１０６等の測定条件の少なくとも一方が表示モニタ４０の画面上に表示されない状態を前記基準状態（図７参照）とし、第２操作モードでは、前記測定結果及び前記測定条件の少なくとも一方が前記画面上に表示される状態を前記基準状態とするようにしてもよい。すなわち、前述のような機能情報１１０の表示／非表示の切換に合わせて、測定結果や測定条件の少なくとも一方の表示／非表示を切り換えるようにしてもよい。この場合、第１操作モードの基準状態において、所定の測定終了条件を満たした際に、シリンダモード表示１０６、眼屈折力値（Ｓ、Ｃ、Ａ）、角膜曲率値（Ｒ１、Ｒ２）を測定値と共に表示させるようにすればよい。
【００４１】
また、以上示したような操作スイッチ４５を表示モニタ４０の画面上に配置するようにしてもよい。すなわち、表示モニタ４０にタッチパネル機能を持たせ、機能情報１１０そのもの（または機能情報１１０付近）に操作スイッチ４５を兼用させることにより、検者が機能情報１１０をタッチした際に入力される操作信号に基づいて測定に関する設定を行うようにした場合でも、本発明の適用は可能である。すなわち、前述のように第１の操作モードと第２の操作モードを選択可能とする。ここで、パラメータ設定において第１の操作モードが選択された際には、制御部７０は、電源が投入された後には、機能情報１１０が表示モニタ４０の画面上に表示されない状態（基準状態）とする。そして、制御部７０は、基準状態において、検者からの表示モニタ４０上のいずれかへの接触信号が入力されると、機能情報１１０を表示モニタ４０の画面上に表示する。そして、制御部７０は、それ以降の画面上に配置された操作スイッチ４５（機能情報１１０）からの操作信号の入力を有効とする。ここで、検者によって機能情報１１０が押されると、測定に関する設定が行われる。
【図面の簡単な説明】
【００４２】
【図１】本実施形態である眼科装置の概略構成図である。
【図２】表示モニタの表示画面及びその周辺のスイッチ構成について説明するための図である。
【図３】機能情報が表示されない状態の表示モニタの表示画面を示す図である。
【図４】予め第１操作モードに設定された状態で電源が投入されたときの表示モニタの表示画面である。
【図５】演算終了時における表示モニタの表示画面の例である。
【図６】第１操作モードにおける表示画面の他の例を示す図である。
【図７】測定結果や測定条件が表示モニタの画面上に表示されない状態を説明する図である。
【符号の説明】
【００４３】
２  眼屈折力測定光学系
２２  前眼部撮像光学系
４０  表示モニタ
４５ａ〜４５ｆ  操作スイッチ
４６  クリアスイッチ
４７  印字スイッチ
６３  プリンタ
７０  制御部
１１０ａ〜１１０ｆ  機能情報
【図１】
2007105130.tif 000003
【図２】
2007105130.tif 000004
【図３】
2007105130.tif 000005
【図４】
2007105130.tif 000006
【図５】
2007105130.tif 000007
【図６】
2007105130.tif 000008
【図７】
2007105130.tif 000009